(57)【特許請求の範囲】
【請求項１】
槽体からの排水の流路に配置される捕集部を備えてなるヘアキャッチャーであって、
前記捕集部は、自身の上流側から自身の下流側へと通水可能であるとともに、通水流量を調節可能な流量調節手段を備えるとともに、
中心軸から放射状に延び、前記捕集部の少なくとも一部を構成する複数のリブ部を有するとともに、隣接する前記リブ部間に通水用の隙間が形成された本体部と、
中心軸から放射状に延び、前記流量調節手段の少なくとも一部を構成する複数の腕部を有するとともに、自身の中心軸が前記本体部の中心軸と一致した状態で前記本体部に重ねられ、かつ、前記本体部に対し相対回転可能な規制部とを備え、
前記本体部に対し前記規制部を相対回転させ、前記本体部の中心軸方向に沿った前記通水用の隙間に対する前記腕部の重なり面積を調節することで、前記通水流量が調節可能であり、
前記本体部は、その中心軸方向に延びるとともに、外周から前記リブ部が突出する円筒状の内筒部を具備し、
前記規制部は、外周から前記腕部が突出する環状の内リング部を具備し、
前記内筒部の外周に前記内リング部が配置されるとともに、前記内筒部及び前記内リング部のうちの一方から両者のうちの他方へと力が加えられた状態とされることを特徴とするヘアキャッチャー。
【請求項２】
前記重なり面積を最大とした状態において、前記通水用の隙間に、前記本体部の中心軸方向に沿って前記腕部と重なっていない領域が存在するように構成されていることを特徴とする請求項１に記載のヘアキャッチャー。
【請求項３】
前記本体部は、その中心軸方向に延びるとともに、内周に前記リブ部が連接された円筒状の外筒部を具備し、
前記規制部は、内周に前記腕部が連接された環状の外リング部を具備し、
前記外筒部の内周に前記外リング部が配置されるとともに、前記外筒部及び前記外リング部のうちの一方から両者のうちの他方へと力が加えられた状態とされることを特徴とする請求項１又は２に記載のヘアキャッチャー。
【請求項４】
前記各リブ部は、前記本体部の中心軸の周方向に沿って等間隔に設けられるとともに、
前記各腕部は、前記規制部の中心軸の周方向に沿って等間隔に設けられ、
前記リブ部の数と前記腕部の数とは同一であることを特徴とする請求項１乃至３のいずれか１項に記載のヘアキャッチャー。
【請求項５】
隣接する前記腕部同士の間を通水不能とする閉塞部が設けられていることを特徴とする請求項４に記載のヘアキャッチャー。
【請求項６】
中心軸から放射状に延びるとともに、前記腕部の間隔と同じ間隔で設けられた複数の基準腕部を有し、かつ、自身の中心軸が前記本体部の中心軸と一致した状態で、前記本体部を挟んで前記規制部と反対側にて前記本体部に重ねられた基準部を備え、
前記基準部は、前記本体部に対し相対回転不能とされることを特徴とする請求項１乃至５のいずれか１項に記載のヘアキャッチャー。
【請求項７】
中心軸から放射状に延び、前記流量調節手段の少なくとも一部を構成する複数の第二腕部を有するとともに、自身の中心軸が前記本体部の中心軸と一致した状態で前記本体部を挟んで前記規制部と反対側にて前記本体部に重ねられ、かつ、前記本体部に対し相対回転可能な第二規制部を備え、
前記本体部に対し前記第二規制部を相対回転させ、前記本体部の中心軸方向に沿った前記通水用の隙間に対する前記第二腕部の重なり面積を調節することで、前記通水流量が調節可能であることを特徴とする請求項１乃至５のいずれか１項に記載のヘアキャッチャー。
【発明の詳細な説明】
【技術分野】
【０００１】
本発明は、浴槽や洗面器等の排水流路に設けられ、毛髪やごみ等を捕集するためのヘアキャッチャーに関する。
【背景技術】
【０００２】
従来、槽体（例えば、浴槽や洗面器、流し台等）から流れ落ちる排水の流路にヘアキャッチャーを設け、排水に含まれるごみや毛髪等の異物を捕集する手法が知られている。ヘアキャッチャーとしては、例えば、筒状の軸筒部と、当該軸筒部と同軸に設けられた環状の周縁リング部と、軸筒部及び周縁リング部の間に設けられたネット部とを備えたものが提案されている（例えば、特許文献１等参照）。
【０００３】
ヘアキャッチャーにおいては、ネット部にて異物が捕集される一方、ネット部に形成された通水用の隙間を通って排水が流れ落ちることとなる。また、前記通水用の隙間を通過した排水は、所定の配管を通ってより下流へと流れることとなる。
【先行技術文献】
【特許文献】
【０００４】
【特許文献１】特開２０１０−３７９２０号公報
【発明の概要】
【発明が解決しようとする課題】
【０００５】
ところで、排水能力の面のみを考慮すれば、槽体からの単位時間当たりの排水量は多い方が好ましい。しかし、場合によっては、使用に際し、使用現場等において、槽体からの単位時間当たりの排水量を調節したいといったことがある。
【０００６】
例えば、槽体に排水口が２つ設けられるとともに、各排水口に対応して排水トラップが１つずつ設けられる一方、それぞれの排水口及び排水トラップを通過した排水が１つの配管へと流れ込むように構成されているような場合である。
【０００７】
この場合、前記排水量が比較的大きなものであれば、前記配管内に多量の排水が流れ込み、前記配管内において多量の排水が満ちた状態（配管内の上部に空間がない状態）で流れてしまいやすくなる。前記配管内において多量の排水が満ちた状態で流れてしまうと、気圧の影響により排水トラップ内の封水も配管側へと引かれてしまい、結果的に、封水がなくなってしまう（封水切れが生じてしまう）おそれがある。
【０００８】
一方、前記排水量が比較的小さなものであれば、封水切れは生じにくくなるが、排水能力が不十分となって排水に時間がかかってしまう。その結果、例えば、介護施設等において入浴を続けて行う場合などに支障が生じてしまうおそれがある。
【０００９】
従って、前記排水量を、封水切れを防止しつつ良好な排水性能を維持可能な適切なものとするという観点から、使用現場等において、前記排水量を適宜調節できるようになっていることが望ましい。
【００１０】
勿論、上記で例示した場合のみならず、前記排水量を調節可能な構成は、様々な場合において利便性の向上をもたらすことができる。
【００１１】
本発明は、上記事情に鑑みてなされたものであり、その目的は、槽体からの単位時間当たりの排水量を調節することができ、優れた利便性を得ることができるヘアキャッチャーを提供することにある。
【課題を解決するための手段】
【００１２】
以下、上記目的を解決するのに適した各手段につき、項分けして説明する。なお、必要に応じて対応する手段に特有の作用効果を付記する。
【００１３】
手段１．槽体からの排水の流路に配置される捕集部を備えてなるヘアキャッチャーであって、
前記捕集部は、自身の上流側から自身の下流側へと通水可能であるとともに、通水流量を調節可能な流量調節手段を備えるとともに、
中心軸から放射状に延び、前記捕集部の少なくとも一部を構成する複数のリブ部を有するとともに、隣接する前記リブ部間に通水用の隙間が形成された本体部と、
中心軸から放射状に延び、前記流量調節手段の少なくとも一部を構成する複数の腕部を有するとともに、自身の中心軸が前記本体部の中心軸と一致した状態で前記本体部に重ねられ、かつ、前記本体部に対し相対回転可能な規制部とを備え、
前記本体部に対し前記規制部を相対回転させ、前記本体部の中心軸方向に沿った前記通水用の隙間に対する前記腕部の重なり面積を調節することで、前記通水流量が調節可能であり、
前記本体部は、その中心軸方向に延びるとともに、外周から前記リブ部が突出する円筒状の内筒部を具備し、
前記規制部は、外周から前記腕部が突出する環状の内リング部を具備し、
前記内筒部の外周に前記内リング部が配置されるとともに、前記内筒部及び前記内リング部のうちの一方から両者のうちの他方へと力が加えられた状態とされることを特徴とするヘアキャッチャー。
【００１４】
上記手段１によれば、ヘアキャッチャーは、捕集部における通水流量を調節可能な流量調節手段を備えており、流量調節手段により前記通水流量を調節することで、槽体からの単位時間当たりの排水量を調節することができる。従って、使用現場などにおいて、前記排水量の調節を適切に行うことが可能となり、優れた利便性を得ることができる。
【００１５】
また、上記手段１によれば、ヘアキャッチャーとは別に流量調節を行うための機構を設ける場合と比較して、部品点数の削減や装置の簡素化などを図ることができる。その結果、生産性の向上やコストの増大抑制を図ることができる。
【００１６】
さらに、上記手段１によれば、本体部に対し規制部を相対回転させるという非常に簡単な手法によって、通水流量ひいては槽体からの単位時間当たりの排水量を調節することができる。従って、使用現場などにおける前記排水量の調節作業をより容易に行うことができ、作業性の向上を図ることができる。
【００１７】
また、上記手段１によれば、比較的簡易な構成によって流量調節手段を構成することができるため、生産性の向上やコストの削減を図ることができる。
【００１８】
加えて、上記手段１によれば、内筒部及び内リング部のうちの一方から両者のうちの他方へと力が加えられた状態とされている。そのため、排水の影響等により本体部に対し規制部が容易に相対回転してしまうことをより確実に防止できる。その結果、意図しない通水流量の変動を効果的に抑制することができる。
【００１９】
手段２．前記重なり面積を最大とした状態において、前記通水用の隙間に、前記本体部の中心軸方向に沿って前記腕部と重なっていない領域が存在するように構成されていることを特徴とする手段１に記載のヘアキャッチャー。
【００２０】
上記手段２によれば、通水用の隙間に対する腕部の重なり面積を最大とした場合であっても、排水が通水用の隙間を通ってある程度は流れやすくなる。従って、万が一排水の影響等により規制部が相対回転して前記重なり面積が最大になったとしても、排水能力がある程度は確保されやすくなる。その結果、排水不能となるといった事態をより確実に防止することができる。
【００２１】
手段３．前記本体部は、その中心軸方向に延びるとともに、内周に前記リブ部が連接された円筒状の外筒部を具備し、
前記規制部は、内周に前記腕部が連接された環状の外リング部を具備し、
前記外筒部の内周に前記外リング部が配置されるとともに、前記外筒部及び前記外リング部のうちの一方から両者のうちの他方へと力が加えられた状態とされることを特徴とする手段１又は２に記載のヘアキャッチャー。
【００２２】
上記手段３によれば、外筒部及び外リング部のうちの一方から両者のうちの他方へと力が加えられた状態とされている。これにより、排水の影響等により本体部に対し規制部が容易に相対回転してしまうことをより確実に防止できる。その結果、意図しない通水流量の変動を効果的に抑制することができる。
【００２３】
手段４．前記各リブ部は、前記本体部の中心軸の周方向に沿って等間隔に設けられるとともに、
前記各腕部は、前記規制部の中心軸の周方向に沿って等間隔に設けられ、
前記リブ部の数と前記腕部の数とは同一であることを特徴とする手段１乃至３のいずれかに記載のヘアキャッチャー。
【００２４】
上記手段４によれば、通水用の隙間のそれぞれに対し腕部を重ねた状態とすることができ、通水流量をより小さな量とすることができる。また、リブ部のそれぞれに対し腕部を重ねた状態とすることができ、通水流量をより大きな量とすることができる。すなわち、上記手段４によれば、通水流量の調節幅を十分に大きくすることができる。その結果、通水流量の調節に係る自由度を高めることができる。
【００２５】
また、上記手段４によれば、規制部を回転させて流量調節を行うときに、連続的（安定的）に変化させることができる。従って、流量調節の容易性を向上させることができる。
【００２６】
手段５．隣接する前記腕部同士の間を通水不能とする閉塞部が設けられていることを特徴とする手段４に記載のヘアキャッチャー。
【００２７】
上記手段５によれば、流量が連続的（安定的）に変化する状態を維持しつつ、基準となる流量を小さくすることができる。
【００２８】
尚、上記手段５は、特に通水流量を小さくしたい場合に有効に作用することとなる。
【００２９】
また、本体部に対し規制部を取付け・取外し可能とすることで、閉塞部が設けられ、隣接する腕部同士の間の一部が通水不能とされた規制部と、閉塞部が設けられておらず、全ての隣接する腕部同士の間を通って通水可能な規制部とを交換可能に構成してもよい。この場合、１つの規制部のみを利用する場合と比較して、通水流量の調節幅を一層大きくすることができ、通水流量の調節に係る自由度を一段と高めることができる。
【００３０】
手段６．中心軸から放射状に延びるとともに、前記腕部の間隔と同じ間隔で設けられた複数の基準腕部を有し、かつ、自身の中心軸が前記本体部の中心軸と一致した状態で、前記本体部を挟んで前記規制部と反対側にて前記本体部に重ねられた基準部を備え、
前記基準部は、前記本体部に対し相対回転不能とされることを特徴とする手段１乃至５のいずれかに記載のヘアキャッチャー。
【００３１】
上記手段６によれば、規制部の中心軸の周方向に沿った基準腕部に対する腕部のずれ量に基づき、通水流量の程度について客観的に判断しやすくなる。その結果、通水流量の調節をより容易に行うことができる。
【００３２】
手段７．中心軸から放射状に延び、前記流量調節手段の少なくとも一部を構成する複数の第二腕部を有するとともに、自身の中心軸が前記本体部の中心軸と一致した状態で前記本体部を挟んで前記規制部と反対側にて前記本体部に重ねられ、かつ、前記本体部に対し相対回転可能な第二規制部を備え、
前記本体部に対し前記第二規制部を相対回転させ、前記本体部の中心軸方向に沿った前記通水用の隙間に対する前記第二腕部の重なり面積を調節することで、前記通水流量が調節可能であることを特徴とする手段１乃至５のいずれかに記載のヘアキャッチャー。
【００３３】
上記手段７によれば、流量調節手段は、腕部及び第二腕部を備えており、通水用の隙間に対する腕部及び第二腕部の重なり面積を調節することで、通水流量を調節することができる。従って、規制部のみを設けた場合と比較して、通水流量の調節幅をより大きくすることができる。その結果、通水流量の調節に係る自由度を一層高めることができる。
【００３４】
尚、第二規制部に対し、上記請求項で規定した規制部に関する構成を適用することとしてもよい。例えば、第二規制部において、第二腕部を第二規制部の中心軸の周方向に沿って等間隔に前記リブ部と同数設けることとしてもよいし、第二腕部の間を通水不能とする閉塞部を設けることとしてもよい。
【図面の簡単な説明】
【００３５】
【図１】排水口を閉鎖した状態における排水栓装置の一部破断正面図である。
【図２】排水口を開放した状態における排水栓装置の一部破断正面図である。
【図３】表側から見たときにおけるヘアキャッチャーの斜視図である。
【図４】裏側から見たときにおけるヘアキャッチャーの斜視図である。
【図５】本体部の斜視図である。
【図６】規制部の斜視図である。
【図７】別の実施形態において、閉塞部の設けられた規制部を示すためのヘアキャッチャーの斜視図である。
【図８】図７の点線で囲んだ領域内における規制部の一部破断拡大斜視図である。
【図９】腕部及び閉塞部が面一とされた規制部を示す平面図である。
【図１０】別の実施形態における第二規制部の斜視図である。
【発明を実施するための形態】
【００３６】
以下に、一実施形態について図面を参照しつつ説明する。図１に示すように、排水栓装置１は、槽体としての浴槽１００に取付けられており、排水口部材２と、アタッチメント部材３と、支持軸機構４と、栓蓋５と、ヘアキャッチャー６とを備えている。尚、浴槽１００は、その底面を構成する底壁部１０１を備えるとともに、底壁部１０１には排水口１０２が複数（例えば、２つ）形成されている。本実施形態における排水栓装置１は、各排水口１０２に対応して設けられている。
【００３７】
排水口部材２は、外周に雄ねじ部２３を有する円筒状の本体部２１と、当該本体部２１の上端部から外周側に突出する環状の鍔部２２とを備えている。また、排水口部材２の内周には、前記アタッチメント部材３を取付けるための凸部２４及び凹部２５が周方向に沿って間隔をあけて複数設けられている。排水口部材２は、前記鍔部２２が底壁部１０１の表面上に位置するとともに、前記本体部２１が排水口１０２に挿通された状態で配置されている。
【００３８】
加えて、排水口部材２に対し、浴槽１００から排出される水の流路となる筒状の配管１０３が直列的に接続されている。より詳しくは、配管１０３は、自身の一端部（上端部）内周に前記雄ねじ部２３を螺合可能な雌ねじ部１０３Ａを備えており、当該雌ねじ部１０３Ａに前記雄ねじ部２３を螺合することで、排水口部材２に配管１０３が接続されている。尚、排水口部材２及び配管１０３を接続した状態においては、鍔部２２と配管１０３の上端面との間で底壁部１０１が挟み込まれ、排水口部材２及び配管１０３が浴槽１００に対し強固に取付けられた状態となっている。
【００３９】
さらに、底壁部１０１の表面と鍔部２２の下面（裏面）との間、及び、底壁部１０１の裏面と配管１０３の上端面との間には、ゴムや樹脂等の弾性材料からなる環状のシール部材７，８が設けられている。配管１０３に対する排水口部材２の螺合に伴い、シール部材７は、底壁部１０１の表面と鍔部２２の下面（裏面）とで挟圧され、シール部材８は、底壁部１０１の裏面と配管１０３の上端面とで挟圧された状態となっている。その結果、浴槽１００と排水口部材２及び配管１０３との間からの漏水防止が図られている。
【００４０】
尚、配管１０３は、浴槽１００からの排水が流れ込む排水トラップ（図示せず）を備えている。当該排水トラップは、例えば、Ｎ字状に湾曲した封水部を備えており、当該封水部に貯留された水（封水）により、下水側からの異臭や害虫の室内側への侵入が抑制されるようになっている。また、前記排水トラップは、各排水口１０２に対応して１つずつ設けられており、各排水トラップを通って下流側に流れた排水は、１つの配管（図示せず）へと流れ込んで合流するようになっている。尚、本実施形態では、配管１０３が排水トラップを備えた構成となっているが、配管１０３に対しこれとは別体の排水トラップが直列的に接続される構成としてもよい。また、配管１０３とは別の部材を構成する排水トラップを配管１０３の下流に設けることとしてもよいし、各配管１０３を通って合流した排水が１の排水トラップへと流れ込むように構成してもよい。
【００４１】
アタッチメント部材３は、排水口部材２の内側に配置されており、外環部３１、連結部３２及び保持部３３を備えている。
【００４２】
外環部３１は、環状（筒状）をなし、排水口部材２に対するアタッチメント部材３の取付部を構成するとともに、ヘアキャッチャー６が載置されることでこれを支持する部位である。外環部３１の下部には、外環部３１の周方向に沿って間隔をあけて設けられた複数の切欠き部３４が形成されており、外環部３１の外周であって前記周方向に沿って前記各切欠き部３４間に位置する部位には、外側に突出する突起部３５が複数形成されている。そして、外環部３１が前記本体部２１の内周に挿通され、外環部３１における前記切欠き部３４を形成する部位が前記凸部２４に載置されるとともに、前記突起部３５が前記凹部２５に配置されて、前記突起部３５が前記本体部２１における前記凹部２５を形成する部位に係止されることにより、アタッチメント部材３は、排水口部材２に対し相対移動不能な状態で取付けられている。
【００４３】
連結部３２は、外環部３１の内周面と保持部３３の外周面と繋ぎ、外環部３１の内側にて保持部３３を支持するものである。連結部３２は、外環部３１の径方向に延びるとともに、外環部３１の周方向に沿って等間隔に複数（例えば、４つ）設けられており、連結部３２間の隙間を通って排水が流れるようになっている。
【００４４】
保持部３３は、外環部３１と同軸の筒状をなし、自身の内周において前記支持軸機構４を保持するものである。
【００４５】
支持軸機構４は、筒状部４１及び支持軸４２を備えており、栓蓋５を上下動させるものである。
【００４６】
筒状部４１は、円筒状をなし、上下動不能な状態で保持部３３により保持されている。
【００４７】
支持軸４２は、筒状部４１の内周に配置されており、筒状部４１に対し上下動可能な状態とされている。
【００４８】
加えて、支持軸４２には、押しボタン等により構成された操作部（図示せず）の変位を伝達するための伝達部材９（例えば、金属製のワイヤー）の端部が接触可能に構成されている。そして、前記操作部の変位に伴い、伝達部材９がその外周に設けられたアウターチューブ１０の内周にて往復移動することで、支持軸４２が浴槽１００に対して上下動するようになっている。具体的には、前記操作部の変位により伝達部材９が往動したとき、支持軸４２は、伝達部材９により押し上げられることで、浴槽１００に対し所定の上方位置まで上動する。一方、この状態で、前記操作部の変位により伝達部材９が復動すると、支持軸４２は自重等により下動する。
【００４９】
また、本実施形態では、前記操作部を操作する度に、図示しない所定のロック機構（例えば、スラストロック機構）による前記上方位置における支持軸４２のロックと、ロック解除に伴う支持軸４２の下動とが交互に行われるようになっている。
【００５０】
栓蓋５は、自身の表面が浴槽１００の表面に表れる傘状部５１と、当該傘状部５１の裏面中央に設けられた被取付部５２と、当該被取付部５２の外側に位置するスライド部５３と、当該スライド部５３の外側に位置するパッキン部５４とを備えている。
【００５１】
傘状部５１は、円板状をなし、外観品質の向上を図るべく、自身の表面がステンレス等からなる薄肉の被覆部で覆われている。
【００５２】
被取付部５２は、前記支持軸４２に対する栓蓋５の被取付部分を構成し、被取付部５２の内周に対し支持軸４２の先端部（上端部）が嵌合されることで、支持軸４２に対し栓蓋５が取付けられている。尚、本実施形態では、栓蓋５を上方へと引くことで、支持軸４２から栓蓋５を取外すことができるようになっている。
【００５３】
スライド部５３は、円筒状に形成されており、保持部３３の外周に配置されている。支持軸４２の上下動に伴い栓蓋５が上下動する際には、保持部３３の外周面に沿ってスライド部５３が移動することで、栓蓋５は傾くことなく安定した状態で上下動するようになっている。
【００５４】
また、スライド部５３には上下方向に延び、下方に開口するスリット（図示せず）が形成されており、当該スリットに対し前記連結部３２が配置された状態となっている。
【００５５】
パッキン部５４は、環状をなし、ゴム等の弾性材料によって形成されている。支持軸４２が前記上方位置に配置されたときには、図２に示すように、排水口部材２からパッキン部５４が離間した状態となり、排水が可能となる。一方、支持軸４２が下動したときには、排水口部材２に対しパッキン部５４の外周縁全周が接触することで、排水口１０２が閉鎖され、浴槽１００へと貯水可能となる（図１参照）。
【００５６】
ヘアキャッチャー６は、前記外環部３１に載置されており、浴槽１００からの排水の流路に配置されている。ヘアキャッチャー６は、図３及び図４に示すように、本体部６１と、規制部６２と、基準部６３とを備えている。尚、図３は、ヘアキャッチャー６を表側（排水の流れ方向上流側）から見た図であり、図４は、ヘアキャッチャー６を裏側（排水の流れ方向下流側）から見た図である。
【００５７】
本体部６１は、図５に示すように、樹脂等により形成されており、その中心軸方向に延びる円筒状の内筒部６１Ａと、前記中心軸方向に延びる円筒状（円環状）の外筒部６１Ｂと、内筒部６１Ａ及び外筒部６１Ｂを連結するリブ部６１Ｃとを備えている。
【００５８】
内筒部６１Ａは、スライド部５３の外周において、スライド部５３とほぼ同軸に配置されている（図１，２参照）。また、内筒部６１Ａは、その内周に、その中心軸方向に延びる複数の突条部６１Ｄをその周方向に沿って等間隔に備えている。突条部６１Ｄの存在により、スライド部５３に対する内筒部６１Ａのその径方向に沿った相対移動が規制されつつ、内筒部６１Ａの内周面の広範囲は、スライド部５３の内周面から若干離間した状態となっている。これにより、内筒部６１Ａ及びスライド部５３の密着が防止され、栓蓋５が上動する際、つまり、排水口１０２が開放される際に、スライド部５３とともに内筒部６１Ａひいてはヘアキャッチャー６が上動してしまうことを防止できるようになっている。
【００５９】
外筒部６１Ｂは、内筒部６１Ａの外側において内筒部６１Ａと同軸に設けられており、その下端面の全周が前記外環部３１に載置されている。尚、上述の通り、栓蓋５の上動に伴うヘアキャッチャー６の上動を防止できるため、外筒部６１Ｂの下端面は、前記外環部３１に対し常に載置された状態で維持されることとなる。これにより、ヘアキャッチャー６（外筒部６１Ｂ）及びアタッチメント部材３（外環部３１）間を通った異物の流出をより確実に防止することができ、ヘアキャッチャー６によって異物をより確実に捕集できるようになっている。
【００６０】
リブ部６１Ｃは、内筒部６１Ａの外周から突出して外筒部６１Ｂの内周に連接されており、本体部６１の中心軸から放射状に延びている。また、リブ部６１Ｃは、前記中心軸の周方向に沿って等間隔に複数設けられており、隣接する各リブ部６１Ｃ間に通水用の隙間が形成されている。
【００６１】
図３に戻り、規制部６２は、所定の金属（例えば、ステンレス等）からなる薄板状をなしており、本体部６１の表側において、自身の中心軸が本体部６１の中心軸と一致した状態で本体部６１と重ねられている。また、規制部６２は、その中心軸を回転軸として本体部６１に対し相対回転可能とされている。
【００６２】
規制部６２は、図６に示すように、その中心軸上に中心が位置する円環状の内リング部６２Ａと、内リング部６２Ａの外側においてこれと同軸に設けられた円環状の外リング部６２Ｂと、内リング部６２Ａ及び外リング部６２Ｂを連結する流量調節手段としての腕部６２Ｃとを備えている。
【００６３】
内リング部６２Ａは、内筒部６１Ａの外周に配置されており、その内周面全周が、内筒部６１Ａの外周面に対し密着又はほぼ密着した状態となっている。また、内リング部６２Ａの内周には、その周方向に沿って等間隔に、径方向内側に向けて極めて微小に突出する凸部が複数存在している。そして、内リング部６２Ａの内周に内筒部６１Ａが圧入されることで、内筒部６１Ａから内リング部６２Ａへと力が加えられた状態となっている。これにより、上述の通り、本体部６１に対し規制部６２は相対回転可能であるものの、排水等の影響による規制部６２の相対回転は極めて生じにくいものとなっている。
【００６４】
外リング部６２Ｂは、外筒部６１Ｂの内周に位置しており、その外周面全周が、外筒部６１Ｂの内周面に対し極めて接近した状態（ほぼ接触した状態）となっている。
【００６５】
腕部６２Ｃは、内リング部６２Ａの外周から突出して外リング部６２Ｂの内周に連接されており、規制部６２の中心軸から放射状に延びている。また、腕部６２Ｃは、前記中心軸の周方向に沿って等間隔に前記リブ部６１Ｃと同数設けられており、隣接する各腕部６２Ｃ間には通水用の隙間が形成されている。尚、本実施形態では、上述の通り、内リング部６２Ａの内周面全周が内筒部６１Ａの外周面に密着等し、また、外リング部６２Ｂの外周面全周が外筒部６１Ｂの内周面にほぼ接触するため、排水は、腕部６２Ｃ間の隙間のみを通って規制部６２を通過することとなる。
【００６６】
また、規制部６２の中心軸の周方向に沿った腕部６２Ｃの幅は、前記リブ部６１Ｃ間に形成された通水用の隙間の幅よりも小さなものとされている。
【００６７】
尚、本実施形態において、ヘアキャッチャー６のうち排水に含まれる異物を主として捕集する部位である捕集部６７は、本体部６１の前記リブ部６１Ｃ及び規制部６２の前記腕部６２Ｃによって構成されることとなる（図３参照）。
【００６８】
図４に戻り、基準部６３は、所定の金属（例えば、ステンレス等）からなる薄板状をなしており、本体部６１の裏側において、つまり、本体部６１を挟んで規制部６２とは反対側において、自身の中心軸が本体部６１の中心軸と一致した状態で本体部６１と重ねられている。
【００６９】
基準部６３は、その中心軸から放射状に延び、前記腕部６２Ｃと同じ間隔で設けられた基準腕部６３Ｃを備えており、本実施形態では、基準部６３及び規制部６２はほぼ同じ形状とされている。一方で、規制部６２は、本体部６１に対し相対回転可能とされているが、基準部６３は、本体部６１に固定され、本体部６１に対し相対回転不能とされている。
【００７０】
また、本実施形態では、ヘアキャッチャー６の表側から、腕部６２Ｃ間の隙間及びリブ部６１Ｃ間の隙間を通して基準腕部６３Ｃが視認可能とされている。そして、ヘアキャッチャー６の表側から、規制部６２の周方向に沿った基準腕部６３Ｃに対する腕部６２Ｃのずれ量を把握可能となっている。
【００７１】
さて、上述したヘアキャッチャー６においては、支持軸４２から栓蓋５を取外した状態において、本体部６１に対し規制部６２を相対回転させ、リブ部６１Ｃ間に形成させた通水用の隙間に対する腕部６２Ｃの本体部６１の中心軸方向に沿った重なり面積を調節することにより、ヘアキャッチャー６における通水流量を調節することができる。
【００７２】
例えば、リブ部６１Ｃのそれぞれに対し腕部６２Ｃが重なる状態とし、前記重なり面積を最小とした場合には、前記通水流量を最大とすることができる。
【００７３】
一方、前記通水用の隙間のそれぞれに腕部６２Ｃが最大限重なる状態とし、前記重なり面積を最大とした場合には、前記通水流量を最小とすることができる。但し、上述の通り、腕部６２Ｃの幅は、前記通水用の隙間の幅よりも小さいため、前記重なり面積を最大とした場合であっても、前記通水用の隙間には、前記本体部６１の中心軸方向に沿って腕部６２Ｃと重なっていない領域が存在することとなる。
【００７４】
尚、通水流量の調節は、ヘアキャッチャー６を外環部３１に載置した状態のまま行ってもよいし、ヘアキャッチャー６を取外した上で行ってもよい。
【００７５】
以上詳述したように、本実施形態によれば、本体部６１に対し規制部６２を相対回転させ、ヘアキャッチャー６における通水流量を調節することで、浴槽１００からの単位時間当たりの排水量を調節することができる。従って、使用現場などにおいて、前記排水量の調節を適切に行うことが可能となり、優れた利便性を得ることができる。
【００７６】
特に本実施形態では、本体部６１に対し規制部６２を相対回転させるという非常に簡単な手法によって、前記通水流量ひいては前記排水量を調節することができる。従って、使用現場などにおける前記排水量の調節作業をより容易に行うことができ、作業性の向上を図ることができる。
【００７７】
また、ヘアキャッチャー６とは別に流量調節を行うための機構を設ける場合と比較して、部品点数の削減や装置の簡素化などを図ることができる。さらに、腕部６２Ｃという比較的簡易な部分により流量調節手段が実現されている。これらの結果、生産性の向上やコストの削減を効果的に図ることができる。
【００７８】
さらに、前記重なり面積を最大とした場合であっても、排水がリブ部６１Ｃ間に形成された通水用の隙間を通ってある程度は流れやすくなる。従って、万が一排水の影響等により規制部６２が相対回転して前記重なり面積が最大になったとしても、排水能力がある程度は確保されやすくなる。その結果、排水不能となるといった事態をより確実に防止することができる。
【００７９】
加えて、本実施形態では、内筒部６１Ａから内リング部６２Ａへと力が加えられた状態とされているため、排水の影響等により本体部６１に対し規制部６２が容易に相対回転してしまうことをより確実に防止できる。その結果、意図しない通水流量の変動を効果的に抑制することができる。
【００８０】
併せて、リブ部６１Ｃ及び腕部６２Ｃは、同数であるとともに、それぞれ周方向に沿って等間隔に設けられている。従って、リブ部６１Ｃ間に形成された通水用の隙間のそれぞれに対し腕部６２Ｃを重ねた状態とすることができ、通水流量をより小さな量とすることができる。また、リブ部６１Ｃのそれぞれに対し腕部６２Ｃを重ねた状態とすることができ、通水流量をより大きな量とすることができる。すなわち、本実施形態によれば、通水流量の調節幅を十分に大きくすることができる。その結果、通水流量の調節に係る自由度を高めることができる。また、規制部６２を回転させて流量調節を行うときに、連続的（安定的）に変化させることができる。従って、流量調節の容易性を向上させることができる。
【００８１】
また、規制部６２の周方向に沿った基準腕部６３Ｃに対する腕部６２Ｃのずれ量に基づき、通水流量の程度について客観的に判断しやすくなる。その結果、通水流量の調節をより一層容易に行うことができる。
【００８２】
尚、上記実施形態の記載内容に限定されず、例えば次のように実施してもよい。勿論、以下において例示しない他の応用例、変更例も当然可能である。
【００８３】
（ａ）上記実施形態において、隣接する腕部６２Ｃ同士の間は、全て通水可能となっているが、図７及び図８（図８は、図７の点線で囲んだ領域ＲＫ内における規制部６２１の一部破断拡大斜視図である）に示すように、隣接する腕部６２Ｃ同士の間を通水不能とする閉塞部６２Ｄを設けることとしてもよい。この場合には、規制部６２１を回転させた際に通水流量が連続的（安定的）に変化する状態を維持しつつ、基準となる流量を小さくすることができる。
【００８４】
尚、閉塞部６２Ｄは、隣接する腕部６２Ｃの表面に対し自身の表面が面一となるものであってもよい。つまり、図９に示すように、閉塞部６２Ｄ及び腕部６２Ｃによって表面が面一な板状部分６２Ｅが形成されることとしてもよい。この場合、規制部６２１の周方向に沿った前記板状部分６２Ｅの幅Ｗ１が、規制部６２１の周方向に沿った１の腕部６２Ｃからその他の腕部６２Ｃまでの幅Ｗ２のいずれかと等しいものとなっていれば、隣接する腕部６２Ｃ同士の間に閉塞部６２Ｄが設けられている状態であるということができる。
【００８５】
また、閉塞部６２Ｄは、必ずしも腕部６２Ｃを挟んで隣り合っている必要はなく、例えば、２つの閉塞部６２Ｄ間に、腕部６２Ｃ間に形成された隙間が存在するように構成されていてもよい。
【００８６】
尚、閉塞部６２Ｄが設けられておらず、全ての隣接する腕部６２Ｃ同士の間を通って通水可能な規制部６２と、閉塞部６２Ｄが設けられ、隣接する腕部６２Ｃ同士の間の一部が通水不能とされた規制部６２１とを用意し、利用する規制部を選択可能としたり、規制部を交換可能としたりしてもよい。この場合、１つの規制部のみを利用する場合と比較して、通水流量の調節幅を一層大きくすることができ、通水流量の調節に係る自由度を一段と高めることができる。
【００８７】
（ｂ）上記実施形態では、本体部６１を挟んで規制部６２とは反対側に基準部６３が設けられているが、基準部６３を設けないこととしてもよい。
【００８８】
また、基準部６３に代えて、図１０に示すように、自身の中心軸から放射状に延びる複数の第二腕部６４Ｃを有し、本体部６１に対し相対回転可能とされた第二規制部６４を設けることとしてもよい。そして、本体部６１に対し第二規制部６４を相対回転させ、リブ部６１Ｃ間に形成された通水用の隙間に対する第二腕部６４Ｃの本体部６１の中心軸方向に沿った重なり面積を調節することで、通水流量を調節できるように構成してもよい。つまり、本体部６１の裏表に設けられた腕部６２Ｃ及び第二腕部６４Ｃによって、流量調節手段を構成してもよい。この場合には、流量調節手段として腕部６２Ｃのみを設けた場合と比較して、通水流量の調節幅をより大きくすることができる。その結果、通水流量の調節に係る自由度を一層高めることができる。
【００８９】
また、第二規制部６４に対し、上述した規制部６２に関する構成を適用することとしてもよい。例えば、第二規制部６４において、隣接する第二腕部６４Ｃ同士の間を通水不能とする閉塞部を設けることとしてもよい。
【００９０】
尚、図８における第二規制部６４は、基準部６３とほぼ同一形状であるが、第二規制部６４の形状はこれに限定されるものではない。従って、第二腕部６４Ｃの数はリブ部６１Ｃの数と同一である必要はなく、また、各第二腕部６４Ｃを等間隔に設ける必要もない。
【００９１】
（ｃ）上記実施形態では、内筒部６１Ａから内リング部６２Ａへと力が加えられた状態となっているが、内リング部６２Ａから内筒部６１Ａへと力が加えられた状態となるように構成してもよい。また、外筒部６１Ｂの内周に外リング部６２Ｂを圧入し、外筒部６１Ｂ及び外リング部６２Ｂのうちの一方から両者のうちの他方へと力が加えられた状態とすることで、規制部６２の相対回転が容易に生じないように構成してもよい。
【００９２】
（ｄ）上記実施形態では、槽体として浴槽１００を例示しているが、本発明の技術思想を適用可能な槽体は浴槽に限定されるものではない。従って、例えば、洗面器やキッチンの流し台などに対して本発明の技術思想を適用することとしてもよい。
【００９３】
（ｅ）上記実施形態では、栓蓋５（パッキン部５４）が排水口部材２に接触することで排水口１０２が閉鎖されるように構成されているが、栓蓋５（パッキン部５４）が浴槽１００に接触することで排水口１０２を閉鎖するように構成してもよい。
【００９４】
（ｆ）上記実施形態では、浴槽１００に排水口１０２が複数設けられているが、排水口１０２を１つのみ設けることとしてもよい。
【符号の説明】
【００９５】
６…ヘアキャッチャー、６１…本体部、６１Ａ…内筒部、６１Ｂ…外筒部、６１Ｃ…リブ部、６２，６２１…規制部（流量調節手段）、６２Ａ…内リング部、６２Ｂ…外リング部，６２Ｃ…腕部、６２Ｄ…閉塞部、６３…基準部、６３Ｃ…基準腕部、６４…第二規制部（流量調節手段）、６４Ｃ…第二腕部、６７…捕集部、１００…浴槽（槽体）。
【図１】
0006594722.tif 000002
【図２】
0006594722.tif 000003
【図３】
0006594722.tif 000004
【図４】
0006594722.tif 000005
【図５】
0006594722.tif 000006
【図６】
0006594722.tif 000007
【図７】
0006594722.tif 000008
【図８】
0006594722.tif 000009
【図９】
0006594722.tif 000010
【図１０】
0006594722.tif 000011